(57)【要約】液状のエステルブレンド賦形剤に分散された顔料を含有する組成物であって、賦形剤中に分散された顔料の量が、従来の顔料分散体よりも十分に大きく、当該分散体は、化粧品への配合を容易にするよう流動性が向上しているものを開示する。前記エステルブレンドは、ヘキサカプリル酸ジペンタエリスリトール、ステアリン酸トリデシル、及びジカプリル酸ネオペンチルグリコールとブレンドされたトリメリット酸トリデシルを含有する。【選択図】なし【特許請求の範囲】
【請求項１】
顔料を約５重量％〜約７０重量％と、ＴＤＴＭ、ＴＤＳ、ＤＰＨＣ、及びＮＰＧＣを含むエステルブレンドを約３０重量％〜約９５重量％とを含む組成物。
【請求項２】
前記顔料を少なくとも約５０重量％含む請求項１記載の組成物。
【請求項３】
前記顔料を少なくとも約６０重量％含む請求項１記載の組成物。
【請求項４】
前記エステルブレンドは、ＴＤＴＭを約５〜約８５重量％、ＴＤＳを約２〜約６０重量％、ＮＰＧＣを約２〜約６０重量％、ＤＰＨＣを約２〜約６０重量％含む請求項１記載の組成物。
【請求項５】
前記エステルブレンドは、当該ブレンドを基準にして、ＴＤＴＭを約１０〜約４５重量％、ＴＤＳを約５〜約２０重量％、ＮＰＧＣを約２〜約１５重量％、ＤＰＨＣを約２０〜約５５重量％含む請求項１記載の組成物。
【請求項６】
前記顔料は濃色系顔料である請求項１記載の組成物。
【請求項７】
前記顔料は未着色であるか又は押さえた彩色のものである請求項１記載の組成物。
【請求項８】
前記顔料は有機化合物、無機化合物、又はそれらの混合物である請求項１記載の組成物。
【請求項９】
前記顔料は、鉄黄、弁柄、黒色酸化鉄、二酸化チタン、Ｄ＆Ｃレッド♯６レーキ、Ｄ＆Ｃレッド♯７レーキ、ＦＤ＆Ｃイエロー♯５レーキ、Ｄ＆Ｃレッド♯２７レーキ、Ｄ＆Ｃレッド♯２１、Ｄ＆Ｃレッド♯９、及びこれらの混合物からなる群より選択される請求項８記載の組成物。
【請求項１０】
顔料６０〜７０重量部を、ＴＤＴＭ、ＴＤＳ、ＤＰＨＣ、及びＮＰＧＣを含むエステルブレンド３０〜４０重量部と混合することを含む、安定な濃縮顔料分散体の形成方法。
【請求項１１】
前記エステルブレンドは、ＴＤＴＭを約５〜約８５重量％、ＴＤＳを約２〜約６０重量％、ＮＰＧＣを約２〜約６０重量％、ＤＰＨＣを約２〜約６０重量％含む請求項１０記載の方法。
【請求項１２】
前記エステルブレンドは、当該ブレンドを基準にして、ＴＤＴＭを約１０〜約４５重量％、ＴＤＳを約５〜約２０重量％、ＮＰＧＣを約２〜約１５重量％、ＤＰＨＣを約２０〜約５５重量％含む請求項１０記載の方法。
【請求項１３】
請求項１記載の組成物を含む化粧品。
【請求項１４】
リップスティック、顔面メーキャップ、及び着色スティックからなる群より選択される請求項１３記載の化粧品。
【発明の詳細な説明】
【技術分野】
【０００１】
この出願は、出願日が２００５年６月３日である米国仮出願番号６０／６８７２３５の利益を主張する。
【０００２】
本発明は、液状賦形剤に分散した顔料を含む組成物に関する。より具体的に、本発明は、エステルブレンド中の顔料分散物であって、エステルブレンド中に分散した顔料の量が、従来の液状賦形剤中に分散した顔料の量よりも十分に多いものに関する。また、本発明の組成物は改善された流動性を発揮するので、前記顔料分散体の化粧品への配合が容易になる。
【背景技術】
【０００３】
リップスティック、頬紅、皮膚用の着色スティックなど多数の化粧品は、所望の色を皮膚やくちびるに付けるために顔料を比較的多量にふくんでいる。このような化粧品の企画や製造における現行の課題は、化粧品全体での顔料の均一な分散を、コストや時間がかかるプロセスを経ずに行うことである。
【０００４】
典型的には、リップスティックの製造で、まず顔料をひまし油等の賦形剤と事前混合した後、この混合物を、残りの組成物成分を含む溶解物に添加する。賦形剤への顔料の添加量は（ａ）顔料を湿潤し分散して安定な分散体を与える賦形剤の能力と、（ｂ）顔料分散体の流動性（例えば顔料分散体には、残りの処方成分への投入、及びこれとの混合が可能になるよう十分な流動性が求められる）とによって制限される。多くの場合、賦形剤には比較的多量の顔料を湿潤し分散する能力があるが、流動性が乏しく、化粧品への顔料分散体の配合は難しく、費用がかかる。
【０００５】
このため、当該技術分野では、簡便に化粧品に配合できるよう優れた流動性を保持しながらも高濃度の顔料を含む顔料分散体に対するニーズがある。
【発明の開示】
【０００６】
本発明の態様は液状賦形剤中の顔料分散を最大化することである。本発明の別の態様は、簡易に化粧品に配合することができるよう流動性が優れた、顔料を高濃度で含む顔料分散体を提供することである。本発明の分散体組成物における高濃度の顔料、及び組成物が持つ優れた流動性は化粧品の製造コストを削減して、適用後に高レベルの光沢を賦与する処方を提供する。
【０００７】
特に、本発明の顔料分散物は、ヒマシ油やトリメリット酸トリデシルなど現在使用されている賦形剤よりも、顔料分散物へのより高濃度の顔料の配合（すなわちより多量の仕込み）を可能にするエステルブレンドを含むものである。本発明のエステルブレンドは約１．５倍以下の高レベルの顔料が賦形剤に分散することを可能にする。さらに、得られた顔料分散体の流動性に関して顕著な改善が見られる。
【発明を実施するための最良の形態】
【０００８】
ひまし油はパーソナルケア産業、特にリップスティックで使用される顔料分散体の標準的な賦形剤である。しかしひまし油には、分散可能な顔料の量、及び得られた分散体の流動性に関して上述した欠点がある。
【０００９】
本発明によれば、エステルの特定のブレンドが、顔料を分散するのに驚くほど優れた賦形剤であることが判明した。当該エステルブレンドは４種類のエステルを含有しており、当該ブレンドは４種類のエステルのいずれかや、４種類のエステルのうち２つ又は３つの組合せすべてと比較して優秀な賦形剤である。また、本発明のエステルブレンドはひまし油や、現在使用されている他の分散剤よりも優秀である。
【００１０】
本発明で使用されるエステルブレンドは米国特許４６５９５７３号で開示されており、これを参照してここに取り込む。前記エステルは、トリメリット酸トリデシル（ＴＤＴＭ）を、ヘキサカプリル酸／ヘキサカプリン酸ジペンタエリスリトール（ＤＰＨＣ）、ステアリン酸トリデシル（ＴＤＳ）、及びジカプリル酸／ジカプリン酸ネオペンチルグリコール（ＮＰＧＣ）とブレンドしたものを含む。
【００１１】
当該ブレンドでのＴＤＴＭの含量はエステルブレンドを基準にして約５〜約８５重量％、好ましくは約５〜約６０重量％、より好ましくは約８〜約５０重量％、最も好ましくは約１０〜約４５重量％、例えば約１２〜約４０重量％である。エステルブレンドの残分は残りの３種類のエステルＤＰＨＣ、ＴＤＳ、及びＮＰＧＣそれぞれを、エステルブレンドを基準にして各々、約２〜約６０重量％の量で含有する。好ましくは、各々エステルブレンドの重量基準で、ＤＰＨＣは約２０％〜約５５％の量で存在し、ＴＤＳは約５％〜約２０％の量で存在し、ＮＰＧＣは約２％〜約１５％の量で存在する。
【００１２】
以下は本発明で有用なエステルブレンドの一例である。当該ブレンドは、個々のエステルをブレンドが均質になるまで単純に混合することで調製される。
【００１３】
【表１】
2008542498.tif 000002
例１のブレンドは粘度が約３４０Ｓ．Ｓ．Ｕである。
【００１４】
上述したエステルブレンドは顔料を分散するのに使用され、（ａ）顔料の高レベルの仕込み、すなわち、ひまし油又はＴＤＴＭ単独の場合で５０〜６０％（重量基準）と比較して最大７０％（重量基準）の顔料、（ｂ）化粧品に多量の顔料を容易に配合できる、粘度が低い分散体、及び（ｃ）化粧品の高レベルの光沢、及び顔料の伸び、を提供する。
【００１５】
このため本発明の組成物は顔料を約５重量％〜約７０重量％と、前記エステルブレンドを約３０重量％〜約９５重量％とを含有する。好ましい形態では、本発明の組成物は、顔料を少なくとも５０重量％、より好ましくは少なくとも６０重量％含有する。
【００１６】
本発明の組成物は、均質になるまで顔料とエステルブレンドを単純に混合することで調製される。得られた組成物は十分に低い粘度を持ち、化粧品への当該組成物の配合を速く、容易にする。
【００１７】
ここで使用する用語「顔料」は、化粧品で通常使用される不溶粒子のすべてを指す。顔料は有機化合物、無機化合物、又はこれらの混合物であってよく、リップスティックで使用される赤など濃色系又は彩色系のものであってもよく、あるいは、顔面メーキャップ組成物で使用される二酸化チタン又はアース・カラー粒子など未着色であるか又は押さえた彩色のものであってもよい。
【００１８】
パーソナルケア分野で一般に使用される顔料及び染料としては限定されないが、以下のものが含まれる。Ｄ＆ＣブルーＮｏ．４，Ｄ＆ＣブラウンＮｏ．１，Ｄ＆ＣグリーンＮｏ．５，Ｄ＆ＣグリーンＮｏ．６，Ｄ＆ＣグリーンＮｏ．８，Ｄ＆ＣオレンジＮｏ．４，Ｄ＆ＣオレンジＮｏ．５，Ｄ＆ＣオレンジＮｏ．１０，Ｄ＆ＣオレンジＮｏ．１１，Ｄ＆ＣオレンジＮｏ．１７，Ｄ＆ＣレッドＮｏ．６，Ｄ＆ＣレッドＮｏ．７，Ｄ＆ＣレッドＮｏ．８，Ｄ＆ＣレッドＮｏ．９，Ｄ＆ＣレッドＮｏ．１７，Ｄ＆ＣレッドＮｏ．１９，Ｄ＆ＣレッドＮｏ．２１，Ｄ＆ＣレッドＮｏ．２２，Ｄ＆ＣレッドＮｏ．２７，Ｄ＆ＣレッドＮｏ．２８，Ｄ＆ＣレッドＮｏ．３０，Ｄ＆ＣレッドＮｏ．３１，Ｄ＆ＣレッドＮｏ．３３，Ｄ＆ＣレッドＮｏ．３４，Ｄ＆ＣレッドＮｏ．３６，Ｄ＆ＣバイオレットＮｏ．２，Ｄ＆ＣイエローＮｏ．７，Ｄ＆ＣイエローＮｏ．８，Ｄ＆ＣイエローＮｏ．１０，Ｄ＆ＣイエローＮｏ．１１，Ｅｘｔ．Ｄ＆ＣバイオレットＮｏ．２，Ｅｘｔ．Ｄ＆ＣイエローＮｏ．７，ＦＤ＆ＣブルーＮｏ．１，ＦＤ＆ＣグリーンＮｏ．３，ＦＤ＆ＣレッドＮｏ．３，ＦＤ＆ＣレッドＮｏ．４，ＦＤ＆ＣレッドＮｏ．４０，ＦＤ＆ＣイエローＮｏ．５，ＦＤ＆ＣイエローＮｏ．６；
カルミン，Ｄ＆ＣブルーＮｏ．１アルミニウム・レーキ，Ｄ＆ＣグリーンＮｏ．３アルミニウム・レーキ，Ｄ＆ＣオレンジＮｏ．４アルミニウム・レーキ，Ｄ＆ＣオレンジＮｏ．５アルミニウム・レーキ，Ｄ＆ＣオレンジＮｏ．５ジルコニウム・レーキ，Ｄ＆ＣオレンジＮｏ．１０アルミニウム・レーキ，Ｄ＆ＣオレンジＮｏ．１７レーキ，Ｄ＆ＣレッドＮｏ．３アルミニウム・レーキ，Ｄ＆ＣレッドＮｏ．４アルミニウム・レーキ，Ｄ＆ＣレッドＮｏ．６アルミニウム・レーキ，Ｄ＆ＣレッドＮｏ．６バリウム・レーキ，Ｄ＆ＣレッドＮｏ．６バリウム／ストロンチウム・レーキ，Ｄ＆ＣレッドＮｏ．６カリウム・レーキ，Ｄ＆ＣレッドＮｏ．６ストロンチウム・レーキ，Ｄ＆ＣレッドＮｏ．７アルミニウム・レーキ，Ｄ＆ＣレッドＮｏ．７バリウム・レーキ，Ｄ＆ＣレッドＮｏ．７カルシウム・レーキ，Ｄ＆ＣレッドＮｏ．７カルシウム／ストロンチウム・レーキ，Ｄ＆ＣレッドＮｏ．７ジルコニウム・レーキ，Ｄ＆ＣレッドＮｏ．８ナトリウム・レーキ，Ｄ＆ＣレッドＮｏ．９アルミニウム・レーキ，Ｄ＆ＣレッドＮｏ．９バリウム・レーキ，Ｄ＆ＣレッドＮｏ．９バリウム／ストロンチウム・レーキ，Ｄ＆ＣレッドＮｏ．９ジルコニウム・レーキ，Ｄ＆ＣレッドＮｏ．１９アルミニウム・レーキ，Ｄ＆ＣレッドＮｏ．１９バリウム・レーキ，Ｄ＆ＣレッドＮｏ．１９ジルコニウム・レーキ，Ｄ＆ＣレッドＮｏ．２１アルミニウム・レーキ，Ｄ＆ＣレッドＮｏ．２１ジルコニウム・レーキ，Ｄ＆ＣレッドＮｏ．２７アルミニウム・レーキ，Ｄ＆ＣレッドＮｏ．２７バリウム・レーキ，Ｄ＆ＣレッドＮｏ．２７カルシウム・レーキ，Ｄ＆ＣレッドＮｏ．２７ジルコニウム・レーキ，Ｄ＆ＣレッドＮｏ．３０・レーキ，Ｄ＆ＣレッドＮｏ．３１カルシウム・レーキ，Ｄ＆ＣレッドＮｏ．３３アルミニウム・レーキ，Ｄ＆ＣレッドＮｏ．３４カルシウム・レーキ，Ｄ＆ＣレッドＮｏ．３６・レーキ，Ｄ＆ＣレッドＮｏ．４０アルミニウム・レーキ，Ｄ＆ＣイエローＮｏ．５アルミニウム・レーキ，Ｄ＆ＣイエローＮｏ．５ジルコニウム・レーキ，Ｄ＆ＣイエローＮｏ．６アルミニウム・レーキ，Ｄ＆ＣイエローＮｏ．７ジルコニウム・レーキ，Ｄ＆ＣイエローＮｏ．１０アルミニウム・レーキ，Ｅｘｔ．Ｄ＆ＣイエローＮｏ．７アルミニウム・レーキ，ＦＤ＆ＣブルーＮｏ．１アルミニウム・レーキ，ＦＤ＆ＣレッドＮｏ．３アルミニウム・レーキ，ＦＤ＆ＣレッドＮｏ．４アルミニウム・レーキ，ＦＤ＆ＣイエローＮｏ．５アルミニウム・レーキ，ＦＤ＆ＣイエローＮｏ．６；
アルミニウム・レーキ，アルミニウム粉末，アナトー，ベータ−カロチン，クエン酸ビスマス，オキシ塩化ビスマス，ブロンズ粉，カラメル，銅クロロフィリン錯体，水酸化クロム・グリーン，水酸化クロム・グリーン類，銅粉末，ＥＤＴＡ二ナトリウム−銅，アンモニウム鉄フェロシアン塩，グアイアズレン，グアニン，ヘナ，酸化鉄，酢酸鉛，マンガンバイオレット，マイカ，銀，二酸化チタン，群青，ウルトラマリン・グリーン，ウルトラマリン・ピンク，ウルトラマリン・レッド，ウルトラマリン・バイオレット、及び酸化亜鉛。
【００１９】
本発明の化粧品で使用され、本発明のエステルブレンド中に分散できる染料の好ましい例としては限定されないが、鉄黄、弁柄、黒色酸化鉄、二酸化チタン等の無機顔料や、Ｄ＆Ｃレッド♯６レーキ、Ｄ＆Ｃレッド♯７レーキ、ＦＤ＆Ｃイエロー♯５レーキ、Ｄ＆Ｃレッド♯２７レーキ、Ｄ＆Ｃレッド♯２１、及びＤ＆Ｃレッド♯９等の有機顔料が含まれる。
【００２０】
顔料破砕評価
エステル及びブレンド
（ａ）ジカプリル酸／ジカプリン酸ネオペンチルグリコール（ＮＰＧＣ）
（ｂ）ステアリン酸トリデシル（ＴＤＳ）
（ｃ）トリメリット酸トリデシル（ＴＤＴＭ）
（ｄ）ヘキサカプリル酸／ヘキサカプリン酸ジペンタエリスリトール（ＤＰＣ）
（ｅ）テトラカプリル酸／テトラカプリン酸ペンタエリスリトール（ＰＥ−８１０）
（ｆ）ひまし油（ＣＯ）
（ｇ）以下の４種類のエステル（重量％）を含むブレンド：
ＮＰＧＣ−３％
ＴＤＳ−９％
ＴＤＴＭ−４０％
ＤＰＣ−４７％
顔料／染料−添加量
エステル及びエステルブレンド（ｗ／ｗ）基準
レッド６（有機）−６０％
イエロー５（有機）−３７．５％
二酸化チタン（無機）−７０％
酸化鉄（無機）−７０％
すべての顔料を３段ロールミルで破砕し、得られた破砕物を湿潤及び流動特性について評価した。
【００２１】
ブレンド（ｇ）に含まれる各エステルを単独で評価し（すなわち（ａ）−（ｄ））、また、エステル（ａ）−（ｄ）の２種類及び３種類のブレンドのすべての組合せも評価した。ＰＥ−８１０及びＣＯは単独のみで評価した。
【００２２】
ブレンド（ｇ）を使用して調製した顔料破砕物は湿潤性が良好であり、その結果、他の被験賦形剤よりも良好な流動性を示した。エステル（ｆ）及びブレンド（ｇ）はイエロー５を湿潤する点で同等であった。ＴＤＳ、ＴＤＴＭ、ＤＰＣ及びＰＥ−８１０は満足できるほどは二酸化チタンを湿潤しなかったので、破砕物というより粉末であった。ブレンド（ｇ）によって証明された優秀な流動性は良好な湿潤性を示唆しており、その破砕物を、製剤に配合するのを容易にする。さらに、良好な湿潤性は通常、破砕物の高光沢につながる。
【国際調査報告】
2008542498.tif 000003
2008542498.tif 000004